(57)【要約】【課題】パネル本体の内枠を除去して吸込みグリルの面積を拡大し、パネル本体の内枠と吸込グリルとの分割線を取り除いて化粧パネルのデザイン性の向上を図れる天井埋込み形空気調和機を提供する。【解決手段】天井内に取付けられる空気調和機本体と、この空気調和機本体の下面部に取付けられ、天井から室内に露出する化粧パネルと、を具備し、化粧パネルは、中央部に開閉自在に設けられる矩形状の吸込みグリルと、この吸込みグリルの外周囲を囲むとともに、各辺に沿って矩形状の吹出し口を備えたパネル本体とからなり、吸込みグリルをパネル本体に取り付けるヒンジ部と、吸込みグリルを閉状態に維持する固定部とを有し、ヒンジ部は、吹出し口の長手方向外側に設けられ、吸込みグリルは、各辺が、吹出し口の内側端縁に沿って設けられる。【選択図】    図４
2015137842.tif 000002
【特許請求の範囲】
【請求項１】
天井内に取付けられる空気調和機本体と、
この空気調和機本体の下面部に取付けられ、天井から室内に露出する化粧パネルと、
を具備し、
前記化粧パネルは、中央部に開閉自在に設けられる矩形状の吸込みグリルと、
この吸込みグリルの外周囲を囲むとともに、各辺に沿って矩形状の吹出し口を備えたパネル本体とからなり、
前記吸込みグリルを前記パネル本体に取り付けるヒンジ部と、前記吸込みグリルを閉状態に維持する固定部とを有し、
前記ヒンジ部は、前記吹出し口の長手方向外側に設けられ、
前記吸込みグリルは、各辺が、前記吹出し口の内側端縁に沿って設けられる
ことを特徴とする天井埋込み形空気調和機。
【請求項２】
前記固定部は、スライド片を有し、前記吸込みグリルを閉状態に維持するときに前記スライド片が前記吸込みグリルの外周部から突出する
ことを特徴とする請求項１記載の天井埋込み形空気調和機。
【請求項３】
前記吸込みグリルは正四角形状をなし、
前記ヒンジ部と前記固定部は、前記吸込みグリルを、初期位置と、初期位置から右もしくは左に９０°変向した位置と、初期位置から１８０°変向した位置の、いずれかに取付け可能とした
ことを特徴とする請求項１および請求項２のいずれか記載の天井埋込み形空気調和機。
【請求項４】
前記化粧パネルの前記吸込みグリルは、下部化粧面を前記パネル本体の下部化粧面から突出した
ことを特徴とする請求項１ないし請求項３のいずれか記載の天井埋込み形空気調和機。
【請求項５】
前記化粧パネルの前記吸込みグリル下部化粧面を、孔明き化粧板で覆った
ことを特徴とする請求項１ないし請求項４いずれか記載の天井埋め込み形空気調和機。
【発明の詳細な説明】
【技術分野】
【０００１】
本発明は、化粧パネルに開閉自在に取付けられる吸込みグリルを備えた天井埋込み形空気調和機に関する。
【背景技術】
【０００２】
天井埋込み形空気調和機は、空気調和機本体が天井内に取付けられ、この下面開口部が化粧パネルで閉塞され室内に露出する。化粧パネルは、正四角形状の吸込みグリルを備え、ここに空気調和機本体に設けられる吸込み口が対向する。吸込みグリルの外周側に吹出し口を備え、熱交換空気を吹出す。
【０００３】
なお説明すると、化粧パネルは、中央部に吸込みグリルがあり、この周囲を正四角形状の枠体であるパネル本体で囲っている。パネル本体の各辺に沿って細長い矩形状の吹出し口が設けられる。吹出し口には、吹出す熱交換空気の方向を調整するルーバーが取付けられている。
【先行技術文献】
【特許文献】
【０００４】
【特許文献１】特許第４２２６８６４号公報
【発明の概要】
【発明が解決しようとする課題】
【０００５】
また、吸込みグリルに設けられるヒンジに対して、パネル本体にヒンジ受け孔が設けられ、吸込みグリルに設けられるスライド式の固定片に対して、パネル本体に係止部が設けられ、これらで吸込みグリルをパネル本体に開閉自在に支持する。
【０００６】
しかしながら、パネル本体にヒンジ受け孔および係止部を設けなければならず、その分、パネル本体の枠幅が大きくなり、各吹出し口と吸込みグリル外周縁との間に吸込みグリルを囲うように内枠が形成される。これにより、化粧パネル下面に吸込みグリルとパネル本体内枠との境界線（分割線）が現れる。化粧パネル下面は化粧面として十分な配慮を必要とするが、パネル本体内枠と吸込みグリルとの分割部分に反り等が発生し易く、浮きや隙間を目立たなくするための手間がかかる。
【０００７】
このような事情から、パネル本体の内枠を除去して吸込みグリルの面積を拡大し、パネル本体の内枠と吸込みグリルとの分割線を取り除いて化粧パネルのデザイン性の向上を図れる天井埋込み形空気調和機が求められている。
【課題を解決するための手段】
【０００８】
天井埋込み形空気調和機は、天井内に取付けられる空気調和機本体と、この空気調和機本体の下面部に取付けられ天井から室内に露出する化粧パネルとを具備し、化粧パネルは、中央部に開閉自在に設けられる矩形状の吸込みグリルと、この吸込みグリルの外周を囲むとともに各辺に沿って矩形状の吹出し口を備えたパネル本体とからなり、吸込みグリルをパネル本体に取り付けるヒンジ部と、吸込みグリルを閉状態に維持する固定部とを有し、ヒンジ部は吹出し口の長手方向外側に設けられ、吸込みグリルは各辺が吹出し口の内側端縁に沿って設けられる。
【図面の簡単な説明】
【０００９】
【図１】一実施の形態に係る、天井埋込み形空気調和機を見上げた状態での斜視図。
【図２】同実施の形態に係る、天井埋込み形空気調和機の下面図。
【図３】同実施の形態に係る、吸込みグリルを開放し化粧パネルを見上げた斜視図と、ヒンジ部分を拡大した斜視図。
【図４】同実施の形態に係る、吸込みグリルの上面側を見せた斜視図。
【図５】同実施の形態に係る、図４のＡ部を拡大した図と、図４のＢ部を拡大した図と、引掛け孔を拡大した図。
【図６】同実施の形態に係る、互いに異なる位置にラッチ部を備えた吸込みグリルの平面図。
【図７】同実施の形態に係る、変形例の化粧パネル一部の断面斜視図と、該化粧パネル一部の斜視図。
【図８】同実施の形態に係る、さらに変形例の化粧パネルの斜視図と、該化粧パネルの分解斜視図。
【図９】同実施の形態に係る、コーナーカバーの斜視図と、コーナーカバーの互いに異なる部分を拡大した斜視図。
【図１０】同実施の形態に係る、コーナーカバーの取付けを説明する断面図と、異なる部位のコーナーカバーの取付けを説明する断面図。
【図１１】同実施の形態に係る、パネル本体からコーナーカバーを取外し、もしくは取付ける前の斜視図と、コーナーカバーを拡大した図。
【図１２】同実施の形態に係る、化粧パネルを取外した空気調和機本体を見上げた状態の斜視図と、受け金具部の斜視図および、段付きボルトの斜視図。
【図１３】同実施の形態に係る、化粧パネルの上面斜視図。
【図１４】同実施の形態に係る、空気調和機本体を見上げた状態の斜視図と、化粧パネルの空気調和機本体に対する取付け部分を拡大し、取付け順に示す図。
【図１５】同実施の形態に係る、化粧パネルの空気調和機本体に対する取付け部分を拡大し、取付け順に説明する図。
【発明を実施するための形態】
【００１０】
以下、本実施形態を、図面にもとづいて説明する。  
図１は、天井埋込み形空気調和機を見上げた状態での斜視図。図２は、天井埋込み形空気調和機の下面図である。
【００１１】
天井埋込み形空気調和機は、天井板に設けられた取付け用開口部に室内側から挿入され、吊り下げボルト等を介して、いわゆる天井裏に吊下げて固定される空気調和機本体１と、この空気調和機本体１の下面部に取付けられ天井板から室内側に露出する、後述する化粧パネル２とから構成される。
【００１２】
前記空気調和機本体１は、下面部が開口し、天板部３ａと側面部３ｂに金属薄板を加工してなる板金製のケーシング３を備えている。このケーシング３の内周面には発泡スチロール材等からなる断熱材が取付けられ、内周面全面に亘って断熱材で覆われている。したがって、空気調和機本体１は断熱構造をなしている。
【００１３】
空気調和機本体１内部の略中央部には、送風機が配置されている。この送風機は、軸方向から空気を吸込んで周方向へ吹出す、いわゆる遠心ファンを備えている。送風機の上方部位は天板部３ａで覆われるので、空気調和機本体１のケーシング３下面開口部が送風機の吸込み側となる。
【００１４】
前記送風機の吹出し側である送風機周囲を囲むようにして、平面視で略四角枠状の熱交換器が配置されている。前記熱交換器の下部に沿ってドレンパンが設けられ、冷房運転時に熱交換器の熱交換作用にともなって生成されるドレン水を受ける。ドレンパンに集溜するドレン水は、ドレンポンプにより排水処理される。
【００１５】
前記ケーシング３の下面開口部は、前記化粧パネル２によって閉成される。化粧パネル２は、たとえば合成樹脂材から成型されて美麗に仕上げられており、天井板から室内に対して露出し、空気調和機本体１周面と天井板の取付け用開口部との隙間を遮蔽する。
【００１６】
さらに、化粧パネル２は、略中央部に設けられ後述するヒンジ部に支持されて開閉自在に取付けられる吸込みグリル４と、吸込みグリル４の全周囲に亘って設けられケーシング３と一体に連結されるパネル本体５とからなる。吸込みグリル４は、正四角形状をなし、パネル本体５は吸込みグリル４を囲う枠状をなしている。
【００１７】
吸込みグリル４は、周端部が平板状に形成されていて、この周端部を除く中央部にグリル部４ａが設けられる。グリル部４ａ裏面（上面）には図示しないフィルタが着脱自在に取付けられ、空気調和機本体１の下面部に設けられるベルマウスの開口部である吸込み口６と対向している。
【００１８】
メンテナンス時には、ヒンジ部を介して吸込みグリル４を開き、吸込み口６を開放したうえで、吸込みグリル４を垂直状態に吊下げることができる。この状態から、吸込みグリル４からフィルタを取外し、フィルタの掃除が可能である。
【００１９】
吸込みグリル４の各辺外側に沿って、換言すれば、パネル本体５の各辺内側に沿って、長手方向寸法に比較して短手（幅）方向寸法が短い細長い吹出し口７が設けられる。これら吹出し口７には、吹出し口７を開閉自在に閉塞する風向案内板であるルーバー８が取付けられている。
【００２０】
なおパネル本体５について説明すると、それぞれの吹出し口７の長手方向の両側端部ａと、グリル部４ａの縦横両側端部ｂとは対向した位置にある。吹出し口７は吸込みグリル４の外側端縁から所定幅寸法に設けられ、吹出し口７の外側端縁から化粧パネル２の外側端縁までがパネル片部４ｂとなっている。
【００２１】
吹出し口７とパネル片部４ｂの長手方向の両側端部ａ位置は互いに一致する。このような吹出し口７とパネル片部４ｂを除くパネル本体５の角部には、平面視で略Ｌ字状に形成されるコーナーカバー４ｃが着脱自在に嵌め込まれている。  
パネル本体５が正四角形の枠状であるところから、ルーバー８が設けられる吹出し口７と、パネル片部４ｂおよびコーナーカバー４ｃともに、４組ずつ備えられる。
【００２２】
ルーバー８は、外観上、吸込みグリル４およびパネル本体５と同一素材であるとともに、同一色であることが望ましい。ルーバー８は細長い矩形状の平板であり、吹出し口７を開閉するのに支障がないよう、縦横寸法ともに吹出し口７よりも若干小さい。ただし、ルーバー８で吹出し口７を閉塞した状態で、吹出し口７とルーバー８との間に目立った隙間のないように寸法設定し、製作しなければならない。
【００２３】
このようにして構成される天井埋込み形空気調和機において、運転停止時には、ルーバー８は吹出し口７を完全閉塞する。このとき、ルーバー８とパネル片部４ｂおよびコーナーカバー４ｃとはともに同一平面となるので、パネル本体５はあたかも１枚の板体のように見える。  
運転開始の信号が入ると、送風機が駆動され、室内空気が吸込みグリル４を介してベルマウスに形成される吸込み口６に案内され、空気調和機本体１内に吸引される。
【００２４】
空気調和機本体１内において、室内空気は熱交換器を流通し、熱交換される。熱交換器で熱交換された熱交換空気は吹出し口７から所定の角度に開かれたルーバー８に案内され、冷風または温風として室内へ吹出されて、室内の空調作用をなす。
【００２５】
つぎに、化粧パネル２における吸込みグリル４と、この吸込みグリル４を開閉自在に支持するヒンジ部Ｈについて詳述する。  
図３（Ａ）は、吸込みグリル４を開放し、化粧パネル２を見上げた状態の斜視図、図３（Ｂ）は、ヒンジ１１部分を拡大した斜視図である。  
図４は、パネル本体５から一部のコーナーカバー４ｃと、吸込みグリル４を取り外し、かつ吸込みグリル４の上面側を見せた斜視図である。  
図５（Ａ）は、図４のＡ部を拡大した図、図５（Ｂ）は同じく図４のＢ部を拡大した図、図５（Ｃ）は引掛け孔１３を拡大した図である。  
図６（Ａ）、図６（Ｂ）は、ヒンジ１１に対してラッチ部１２を互いに異なる位置に設けた吸込みグリル４の平面図である。
【００２６】
先に説明したように、化粧パネル２は、中央部の正四角形状の吸込みグリル４と、吸込みグリル４の周辺部に設けられる正四角枠状のパネル本体５とから構成される。  
すなわち、パネル本体５の外形寸法等、大きさは従来構造のものと変りがないが、従来、パネル本体５と吸込みグリル４との間に形成されていた内枠を除去して、各吹出し口７まで吸込みグリル４の外形寸法を拡大させたことが異なる。
【００２７】
ここでは、パネル本体５の内側部全周に沿って、吸込みグリル４周端部を受ける当て板部１０が設けられる。これら当て板部１０の各辺部外側に、吹出し口７が設けられ、吹出し口７の外側がパネル片部４ｂとなる。そして、パネル本体５の角部にはコーナーカバー４ｃが取付けられることは、先に説明したとおりである。
【００２８】
吸込みグリル４の一辺部で、裏面側の両側端部には、ヒンジ部Ｈを構成するヒンジ１１が突設される。各ヒンジ１１は、吸込みグリル４の裏面側に設けられるところから、組立てられた状態で、吸込みグリル４の化粧面である下面側からヒンジ１１を見ることはできない。ヒンジ１１は、吸込みグリル４裏面から突出するヒンジ本体１１ａと、このヒンジ本体１１ａの先端部両側に突出するピン１１ｂとからなる。
【００２９】
吸込みグリル４のヒンジ１１が設けられる一辺部とは対向する辺部で、吸込みグリル４裏面側の両側端部に、吸込みグリル４を閉状態に維持する固定部であるラッチ部１２が設けられる。  
ラッチ部１２は、ヒンジ１１が設けられる一辺部とは直交する方向の辺部に沿って長孔状のガイド孔を備えて立設されるガイド片部１２ａと、このガイド片部１２ａのガイド孔にスライド自在に挿入され、ガイド孔から突出するスライド片１２ｂと、このスライド片１２ｂの一端部に一体的に設けられる操作つまみ１２ｃとからなる。
【００３０】
操作つまみ１２ｃの一端部はヒンジ１１とは反対方向に突出し、さらに、吸込みグリル４外側縁とパネル本体５（コーナーカバー４ｃ）内側縁との隙間（図２中Ｓ）から化粧パネル２の下方に向けて突出している。この操作つまみ１２ｃを摘まんで、スライド片１２ｂを操作可能である。スライド片１２ｂは操作つまみ１２ｃに対する操作にともない、吸込みグリル４の外側縁から突没自在となっている。
【００３１】
これに対してパネル本体５の当て板部１０には、各辺部両側端部に、ヒンジ部Ｈのヒンジ１１およびラッチ部１２のスライド片１２ｂを受ける引掛け孔１３が設けられる。これら引掛け孔１３は、図５（Ｃ）に示すように、両端下部に引掛け部１３ａが設けられたＴ字形状の孔であり、この引掛け部１３ａにヒンジ１１のピン１１ｂが引っ掛かる。また、ラッチ部１２のスライド片１２ｂが引掛け部１３ａの間に挿入される。
【００３２】
空調運転時および空調運転停止時など通常は、吸込みグリル４はパネル本体５と略同一平面をなし、しかも互いに同一素材で、同一色をなしているところから、外観上の向上を得られる。
【００３３】
従来用いられた内枠を除去し、その分、吸込みグリル４の形状面積を拡大するとともに、吹出し口７の内側にほぼ沿って吸込みグリル４の外形を定めて、内枠と吸込みグリル４および内枠とパネル本体５との分割線の消滅を図ることができた。したがって、化粧パネル２の美観の向上を得られる。
【００３４】
メンテナンス時は、吸込みグリル４の外周縁とパネル本体５の内周縁との隙間から突出するラッチ部１２の操作つまみ１２ｃを摘まみ、これをスライド操作する。操作つまみ１２ｃを内側方向に操作すれば、スライド片１２ｂがパネル本体５の引掛け孔１３から抜けて、吸込みグリル４一端部の位置規制が解除される。
【００３５】
すなわち、図３（Ａ）（Ｂ）に示すように、吸込みグリル４はヒンジ１１を中心に回転が可能となる。この状態を保持してから、吸込みグリル４を持ちあげ、ヒンジ１１を引掛け孔１３から抜け出せば、吸込みグリル４とパネル本体５の引っ掛かりが解除され、吸込みグリル４を取外すことができる。
【００３６】
再び吸込みグリル４をパネル本体５に取り付けるときは、吸込みグリル４を持ち上げてヒンジ１１を引掛け孔１３に掛合し、ヒンジ１１を中心に吸込みグリル４を回転してパネル本体５と同一板面に姿勢を変える。この状態を保持して操作つまみ１２ｃを操作し、スライド片１２ｂを引掛け孔１３に挿入することで、吸込みグリル４はパネル本体５に固定され、化粧パネル２が得られる。
【００３７】
ここでは、図６（Ａ）に示すように、操作つまみ１２ｂを矢印ｄ方向に操作するようにしたが、これに限定されるものではなく、図６（Ｂ）に示すように、操作つまみ１２ｂを矢印ｄとは直交する矢印ｅ方向に操作することで掛脱可能となるよう、吸込みグリル４にラッチ部１２を設けてもよい。
【００３８】
いずれにしても、ヒンジ部Ｈを構成するヒンジ１１と、このヒンジ１１が掛脱自在な引掛け孔１３を、吹出し口７の長手方向両側端部の外側に設けるようにしたので、従来の内枠を無くして、その分、吸込みグリル４を吹出し口７のほとんど内側まで拡大することができる。
【００３９】
さらに、引掛け孔１３を当て板部１０のコーナー部に２つずつ設けたことにより、吸込みグリル４は図の位置と、図の位置から右もしくは左に９０°変向した状態、もしくは１８０°変向した状態での取付けが可能となる。
【００４０】
つぎに、変形例の化粧パネル２Ａを説明する。  
図７（Ａ）は、化粧パネル２Ａ一部の断面斜視図、図７（Ｂ）は、該化粧パネル２Ａ一部の斜視図である。
【００４１】
ここでは、化粧パネル２Ａを構成する吸込みグリル４およびパネル本体５の外形寸法と、化粧面の素材と、ヒンジ部Ｈを介して吸込みグリル４がパネル本体５に回動自在に枢支される構成等については何らの変更もない。ただし、パネル本体５に対して吸込みグリル４の板厚を先に説明したものよりも厚くしたことが異なる。
【００４２】
したがって、パネル本体５に対して吸込みグリル４はわずかに下面である化粧面側に突出する。意図して、吸込みグリル４を化粧パネル２Ａの化粧面から突出させることにより、吸込みグリル４とパネル本体５との一部に生じ易い反り等による、互いの隙間や浮きを目立たなくして、美観の向上を得られる。
【００４３】
図８（Ａ）は、さらに異なる変形例の化粧パネル２Ｂの斜視図、図８（Ｂ）は、該化粧パネル２Ｂの分解斜視図である。  
吸込みグリル４とパネル本体５は、先に説明したものであってよいが、吸込みグリル４の化粧面（下面）を孔明き化粧板Ｋで覆ったことを特徴とする化粧パネル２Ｂである。
【００４４】
孔明き化粧板Ｋは、全面に亘って、互いに所定間隔を存してパンチング孔、もしくは十文字孔、もしくは花びら模様の孔部等の様々なデザインをもって孔明け加工された平板体からなり、色や素材も選択できる。
【００４５】
孔明き化粧板Ｋは、吸込みグリル４の縦横寸法と同一の縦横寸法をなす。明白には図示していないが、孔明き化粧板Ｋの周縁には吸込みグリル４の周縁に着脱自在な掛止片部が設けられている。  
したがって、先に図７（Ａ）（Ｂ）で説明したような、パネル本体５からわずかに突出する吸込みグリル４であれば、孔明き化粧板Ｋの着脱が容易となる。
【００４６】
ただし、吸込みグリル４外周縁とパネル本体５内周縁との隙間をある程度確保することにより、先に図１〜図６で説明したような吸込みグリル４とパネル本体５とが面一状のものであっても、孔明き化粧板Ｋを取付けることができる。  
いずれにしても、この天井埋込み形空気調和機を備えた部屋の室内の雰囲気に応じた様々なデザイン・色・素材の孔明き化粧板Ｋを選択でき、美観の向上を図り得る。
【００４７】
つぎに、コーナーカバー４ｃについて詳述する。  
図９は、コーナーカバー４ｃの斜視図および、コーナーカバー４ｃの互いに異なる部分を拡大した斜視図である。  
図１０（Ａ）は、コーナーカバー４ｃのパネル本体５に対する取付けを説明する断面図、図１０（Ｂ）は、図１０（Ａ）とは異なる部位のコーナーカバー４ｃの取付けを説明する断面図である。
【００４８】
図１１（Ａ）は、パネル本体５からコーナーカバー４ｃを取外した状態、もしくはパネル本体５にコーナーカバー４ｃを取付ける前の状態を示す斜視図、図１１（Ｂ）は同状態のコーナーカバー４ｃを拡大した図である。
【００４９】
コーナーカバー４ｃは、上述したように平面視で略Ｌ字状に形成される板体からなり、この全周縁に沿い、化粧面の裏面側（図の上面側）に壁部４０ｃが一体に形成される。  
図９に示すように壁部４０ｃの高さ寸法は、パネル本体５の外周縁側である外周縁ｇが最も高く、それ以外の、吹出し口７およびパネル片部４ｂの両側端部と接する両側端縁ｈが低く、パネル本体５の内周縁側である内周縁ｉがさらに低く形成される。もっとも低い内周縁ｉ一部と所定の間隙を存して平行にコーナーリブ４０ｄが設けられていて、コーナーカバー４ｃの補強をなす。  
コーナーカバー４ｃの内周縁ｉと両側端縁ｈとが接する角部に、壁部４０ｃと一体に、外方に突出する三角形状の２つの引っ掛け爪１５が設けられる。
【００５０】
先に説明したコーナーリブ４０ｄのさらに内側のコーナーカバー裏面に、後述する落下防止紐の一端部を取付けるための１つの紐取付け爪１６が設けられる。  
さらに、壁部４０ｃの内側面で、外周縁ｇの両側端縁ｈと近接する部位には、第１の固定爪部１７が一体に突設され、壁部４０ｃの角部には第２の固定爪部１８が設けられる。第１の固定爪部１７および第２の固定爪部１８は、それぞれ３本の爪を備えている。
【００５１】
第１の固定爪部１７においては、コーナーカバー４ｃの両側端縁ｈ側に１本の面当て爪１９が設けられ、壁部４０ｃの角部側に２本の線当て爪２０が設けられる。第２の固定爪部１８では、３本の線当て爪２０が設けられる。
【００５２】
以上説明した引っ掛け爪１５と第１、第２の固定爪部１７，１８は、いずれもコーナーカバー４ｃの側部を構成する壁部４０ｃと一体に設けている。すなわち、引っ掛け爪１５と第１、第２の固定爪部１７，１８のいずれも、コーナーカバー４ｃの化粧面と反対側の上面には直接設けていない。
【００５３】
コーナーカバー４ｃを合成樹脂材で成形するにあたって、コーナーカバー４ｃの上面に引っ掛け爪１５と第１、第２の固定爪部１７，１８に係らず、ある程度の大きさをもった突出物を設けると、その突出物が設けられた部分の化粧面側に、いわゆる肉引けと呼ばれる凹陥部が生じてしまう。そのコーナーカバーをパネル本体に取付けると、凹陥部分が目立って美観を損なうものである。
【００５４】
ここでは、引っ掛け爪１５と第１、第２の固定爪部１７，１８をコーナーカバー４ｃの裏面に設けず、側面部を形成する壁部４０ｃに一体に設けたから、化粧面に肉引きが生じることはなく、美観を損なわないですむ。  
なお、後述する落下防止紐の一端部を取付けるための紐取付け爪１６をコーナーカバー４ｃの裏面に設けているが、これは極く小さいので、コーナーカバー４ｃの化粧面に肉引きが生じないですむ。
【００５５】
このようなコーナーカバー４ｃをパネル本体５のコーナー部に取付けるには、コーナーカバー４ｃを傾けた状態にして、引っ掛け爪１５をパネル本体５の図示しない孔部に掛合する。そして、掛合した引っ掛け爪１５を中心にしてコーナーカバー４ｃをパネル本体５と同一面になるよう回転する。
【００５６】
すると、第１の固定爪部１７および第２の固定爪部１８を構成する面当て爪１９と線当て爪２０がパネル本体５の掛止用突部２２に掛合して、コーナーカバー４ｃの取付けが完了する。
【００５７】
具体的には、図１０に示すようになる。図１０（Ａ）は、面当て爪１９がパネル本体５の掛止用突部２２に掛合した状態を示し、図１０（Ｂ）は線当て爪２０が掛止用突部２２に掛合した状態を示している。
【００５８】
面当て爪１９は、垂直板面と爪の下面とのなす角度が略９０°あり、掛止用突部２２の端面と上面とに略密接状態で掛合する。すなわち、面当て爪１９の垂直板面が掛止用突部２２の端面に密着するとともに、面当て爪１９の下面が掛止用突部２２の上面に密着する。面当て爪１９と掛止用突部２２とが面状に掛合することとなり、比較的強固な掛合となる。
【００５９】
これに対して線当て爪２０は、垂直板面と爪の下面とのなす角度が９０°よりもはるかに大である。掛止用突部２２は端面と上面とのなす角度は９０°であるので、線当て爪２０の爪基端部のみが掛止用突部２２の端面角部に掛合しているに過ぎない。  
換言すれば、線当て爪２０は掛止用突部２２に対して線状に掛合しているに過ぎず、面当て爪１９と比較して掛合力が弱い。
【００６０】
このように、第１の固定爪部１７の面当て爪１９がパネル本体５の掛止用突部２２に掛合して、コーナーカバー４ｃは確実にパネル本体５に取付けられる一方で、線当て爪２０は掛止用突部２２に接触する程度となる。なお、第２の固定爪部１８は、３本すべてが線当て爪２０で構成されているが、線当て爪２０が面当て爪１９と比較して掛止用突部２２との掛合力が弱いといっても、３本の線当て爪を備えているので、自重や少しの衝撃で外れることはない。
【００６１】
メンテナンス時など、コーナーカバー４ｃをパネル本体５から取外すには、コーナーカバー４ｃの一側部を持ち、パネル本体５ｃから外れる方向に付勢する。  
たとえば、図９に示すコーナーカバー４ｃの角部を強制的に引き下げると、壁部４０ｃの角部に設けられた第２の固定爪部１８における線当て爪２０がパネル本体５の掛止用突部２２から外れる。この３本の線当て爪２０は、面当て爪１９と比較して掛止用突部２２との掛合状態が弱いので、容易に掛止用突部２２から離脱する。
【００６２】
コーナーカバー４ｃの角部がパネル本体５から離脱することとなり、下方への力が入れ易い状態になる。継続してコーナーカバー４ｃを引き下げれば、第１の固定爪部１７の２本の線当て爪２０が掛止用突部２２から離間する。この線当て爪２０の掛止用突部２２からの離間にともない、面当て爪１９の下面と掛止用突部２２の上面の接触が徐々に解除されるので、面当て爪１９も容易に掛止用突部２２から離脱し、コーナーカバー４ｃをパネル本体５から完全に取外すことができる。
【００６３】
すなわち、コーナーカバー４ｃの両側端部ｈに近い部位に第１の固定爪部１７を構成する面当て爪１９を備え、この角部側に２本の線当て爪２０を備えた。角部には、第２の固定爪部１８を備えて、３本すべてに線当て爪２０を備えた。
【００６４】
そのため、コーナーカバー４ｃのパネル本体５への取付けと、取外しが容易になる。いずれの作業も、天井を向いた無理な姿勢を継続した状態で行わざるを得ないが、作業性の向上を図れる。
【００６５】
先に説明した、コーナーカバー４ｃに落下防止紐２３の一端部を取付けるために設けられた紐取付け爪１６について説明する。  
図１１（Ａ）は、パネル本体５からコーナーカバー４ｃを取外した状態を示す斜視図、図１１（Ｂ）はコーナーカバー４ｃの拡大斜視図である。
【００６６】
パネル本体５には落下防止紐２３の一端部が取付けられ、コーナーカバー４ｃの紐取付け爪１６には落下防止紐２３の他端部が取付けられる。パネル本体５からコーナーカバー４ｃを取外しても、図１０（Ａ）に示すように、コーナーカバー４ｃは落下防止紐２３を介してパネル本体５に吊下げ状態になる。
【００６７】
ここでは、紐取付け爪１６の位置は以下に述べるように定められる。  
すなわち、コーナーカバー４ｃの重心位置ｎを求め、この重心位置ｎと引っ掛け爪１５との間に紐取付け爪１６を設ける。引っ掛け爪１５は２か所設けられているので、これらの中間部に紐取付け爪１６があればよい。
【００６８】
図に示すように、落下防止紐２３の一端部を紐取付け爪１６に取付けてパネル本体５から吊下げると、コーナーカバー４ｃの重心位置ｎの上部に紐取付け爪１６が位置する。結局、コーナーカバー４ｃは引っ掛け爪１５が上部になり、両側端縁が交わるコーナーカバー４ｃの角部が下部になる。  
たとえばメンテナンス時に、コーナーカバー４ｃを取外ししても、落下防止紐２３を介してパネル本体５に吊下げ状態にあり、落下しないので作業性の向上を図れる。
【００６９】
紐取付け爪１６の位置の選定から、コーナーカバー４ｃは引っ掛け爪１５を上部にして吊持される。必要な作業を終了してコーナーカバー４ｃをパネル本体５に取付ける際は、初めにコーナーカバー４ｃに設けた引っ掛け爪１５をパネル本体５に取付ける。コーナーカバー４ｃを落下防止紐２３を介して吊持した状態で、常に引っ掛け爪１５が上部にあるので、取付け作業が楽になり、作業性の向上を得られる。
【００７０】
つぎに、空気調和機本体１に対する化粧パネル２の取付け構造について説明する。  
図１２（Ａ）は、化粧パネル２を取外して空気調和機本体１を下から見上げた状態の斜視図、図１２（Ｂ）は、空気調和機本体１に取付けられる受け金具部２８の斜視図、図１２（Ｃ）は、受け金具部２８を構成する段付きボルト２７の斜視図である。
【００７１】
図１３は、化粧パネル２の上面斜視図である。  
図１４（Ａ）は、空気調和機本体１に化粧パネル２を取付けて下から見上げた状態の斜視図、図１４（Ｂ）および（Ｃ）は化粧パネル２の空気調和機本体１に対する取付け部分を拡大し、取付け順に示す図である。  
図１５（Ａ）ないし（Ｃ）は、化粧パネル２の空気調和機本体１に対する取付け部分を拡大し、取付け順に示す図である。
【００７２】
空気調和機本体１は、縦横および高さ寸法のある立方体であるのに比較して、化粧パネル２は、いわば薄い板体であり、互いに形状構造が大きく異なる。このような空気調和機本体１の端部に化粧パネル２を取付けるにあたって、手間がかからず、ワンタッチ的な取付けが可能として、作業性の向上を得られることが望ましい。
【００７３】
メンテナンス時など、必要に応じて空気調和機本体１から化粧パネル２を取外す際も、高所で、無理な姿勢を維持した状態で行わなければならず、同様の要望が強い。そこで、以下に述べるように構成することで、作業性の向上を図った。
【００７４】
図１２（Ａ）に示すように、空気調和機本体１を構成するケーシング３の平面視は、四角形状を基本として、その角部を削った、変形八画形状をなしている。このようなケーシング３角部の下面に、図１２（Ｂ）に示すような、受け板２５および段付きボルト２７からなる受け金具部２８が取付けられている。
【００７５】
受け板２５は、ケーシング３から水平に突出する平板体である。受け板２５には、ねじ孔が設けられ、図１２（Ｃ）に示すような段付きボルト２７がねじ込み固定される。段付きボルト２７のストレート部ｍの長さ寸法は、後述するパネル固定部材３０の板厚と、パネルシール材３２の板厚を足した寸法よりもわずかに短い寸法に形成する。
【００７６】
図１３に示すように、化粧パネル２は四角形状をなし、各辺に沿って吹出し口７が設けられ、中央部には吸込みグリル４が上述した手段で取付けられることは、先に説明したとおりである。
【００７７】
それぞれの吸込み口７は、長手方向寸法に比較し短手方向寸法が極く短い、細長い矩形状をなして開口していることも変わりがない。このような吸込み口７の周囲で、化粧パネル２の上面にパネルシール材３２が貼着されている。
【００７８】
パネルシール材３２は、たとえばＥＰＤＭ（エチレン−プロピレン−ジエンゴム）等の合成ゴム材の発泡体であり、ある程度厚肉であり、弾性を有する素材である。化粧パネル２をケーシング３の下面に取付けた状態で、化粧パネル２上面とケーシング３下面との間に介在し、その弾性反発力をもって化粧パネル２とケーシング３との隙間を無くし、気密を保持する。
【００７９】
そして、化粧パネル２にはパネル固定部材３０が取付けられている。図１４（Ａ）ないし（Ｃ）は、ケーシング３の下面部に化粧パネル２を当てがった状態を示していて、化粧パネル２に設けられるパネル固定部材３０とともに、先に説明したケーシング３の下面部に設けられる受け金具部２８も示している。
【００８０】
パネル固定部材３０は、化粧パネル２（パネル本体５）と一体に設けられるガイド部３５と、このガイド部３５に止めねじ３６を介してガイド部３５に沿ってスライド自在に取付けられるスライド金具３７とからなる。
【００８１】
すなわち、ガイド部３５とスライド金具３７とは、互いに面状に重ね合わさり、スライド金具３７の一辺部は下方に折曲され操作片部となっているとともに、ガイド部３５との接触面には長孔３８が設けられる。
【００８２】
この長孔３８に止めねじ３６が挿入され、止めねじ３６はスライド金具３７とガイド部３５を介して化粧パネル２に取付けられる。止めねじ３６の頭部にはワッシャ３９が嵌合され、スライド金具３７の長孔３８をスライド自在に受けている。
【００８３】
さらに、スライド金具３７には、上述した受け金具部２８を構成する段付きボルト２７の頭部が挿入可能な大径孔と、段付きボルト２７の頭部より小径ではあるけれど、段付きボルト２７のストレート部ｍが挿入可能な小径孔が連設された連設孔部４０が設けられる。
【００８４】
図１４（Ｂ）および図１５（Ａ）に示すように、化粧パネル２をケーシング３の下面部にあてがい、化粧パネル２をケーシング３に押し付けた状態にする。スライド金具３７の連設孔部４０における大径孔に、受け金具部２８を構成する段付きボルト２７の頭部が挿入され、大径孔に段付きボルト２７のストレート部ｍが対向する。  
同時に、化粧パネル２の吹出し口７周囲に沿って貼着されるパネルシール材３２がケーシング３との間に介在し、ある程度圧潰して、本来の肉厚よりも薄い状態になっている。
【００８５】
つぎに、図１４（Ｃ）および図１５（Ｂ）に示すように、スライド金具３７の操作片部をガイド部３５と接する方向に押し付ける。スライド金具３７は止めねじ３６とワッシャ３９とで受けられているだけなので、長孔３８に沿ってスライドする。長孔３８の端部が止めねじ３６に当たって移動を規制された状態で、連設孔部４０の小径孔が段付きボルト２７のストレート部ｍに衝止される。
【００８６】
そこで、スライド金具３７の操作片部に対する付勢力を除去するとともに、化粧パネル２をケーシング３に押し付ける付勢力を除去する。
【００８７】
化粧パネル２に取付けられるパネルシール材３２に弾性が復帰してほぼ元の厚さに戻る。図１５（Ｃ）に示すように、ガイド部３５とスライド金具３７とともに、化粧パネル２はその分下がる。
【００８８】
スライド金具３７は段付きボルト２７の頭部に密着することとなり、スライド金具３７を備えた化粧パネル２は段付きボルト２７を備えたケーシング３である空気調和機本体１に固定される。
【００８９】
従来、化粧パネルの取付けにあたって、予め、パネル固定ねじを空気調和機本体に組み付ける際に、締め付け高さを決めるための治具が必要であり、製造性に悪影響を与えていた。そして、化粧パネルを空気調和機本体に固定するのに、パネル固定部材をスライドさせ、しかる後に、パネル固定ねじの増し締めが必要であり、作業性が悪かった。
【００９０】
これに対して、上述のようにパネル固定ねじを段付きねじ２７とすることで、空気調和機本体１に段付きねじ２７をねじ込み固定したまま、化粧パネル２を空気調和機本体１に取付けられるようになった。そして、スライド金具３７をスライド操作するだけで化粧パネル２の取付けが完了するので、作業性の向上を図れる。
【００９１】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００９２】
１…空気調和機本体、２…化粧パネル、１１…ヒンジ、１２…ラッチ部、Ｈ…ヒンジ部、４…吸込みグリル、７…吹出し口、５…パネル本体、Ｋ…孔明き化粧板
【図１】
2015137842.tif 000003
【図２】
2015137842.tif 000004
【図３】
2015137842.tif 000005
【図４】
2015137842.tif 000006
【図５】
2015137842.tif 000007
【図６】
2015137842.tif 000008
【図７】
2015137842.tif 000009
【図８】
2015137842.tif 000010
【図９】
2015137842.tif 000011
【図１０】
2015137842.tif 000012
【図１１】
2015137842.tif 000013
【図１２】
2015137842.tif 000014
【図１３】
2015137842.tif 000015
【図１４】
2015137842.tif 000016
【図１５】
2015137842.tif 000017